(57)【要約】      （修正有）【課題】悪意ある他人が第１層ファスナーヘッド（スライダー）を引っ張って第１層ファスナーテープを開いた場合でも、袋体の開口が直ちに露出することのないようにすることができる、多層盗難防止ファスナー構造を提供する。【解決手段】多層盗難防止ファスナー構造は、袋体の開口周縁に設けられると共に、第１層ファスナーセット１及び第２層ファスナーセット２を含む。第１層ファスナーセット１は、第１層ファスナーヘッド１１及び第１層ファスナーテープ１２を含む。第１層ファスナーヘッド１１は、第１層ファスナーテープ１２に摺動可能に設けられる。第２層ファスナーセット２は、第２層ファスナーヘッド２１及び第２層ファスナーテープ２２を含む。第２層ファスナーヘッド２１は、第２層ファスナーテープ２２に摺動可能に設けられる。第１層ファスナーセット１と第２層ファスナーセット２とは、上下に配置されると共に位置をずらして設けられる。【選択図】図１
0003194708.tif 000002
【実用新案登録請求の範囲】
【請求項１】
袋体の開口周縁に設けられる多層盗難防止ファスナー構造であって、
第１層ファスナーヘッドと、前記第１層ファスナーヘッドが摺動可能に設けられる第１層ファスナーテープとを含む第１層ファスナーセットと、
第２層ファスナーヘッドと、前記第２層ファスナーヘッドが摺動可能に設けられる第２層ファスナーテープとを含む第２層ファスナーセットと、
を含み、
前記第１層ファスナーセットと前記第２層ファスナーセットとが上下に配置されると共に位置をずらして設けられることを特徴とする多層盗難防止ファスナー構造。
【請求項２】
前記第１層ファスナーヘッド及び前記第２層ファスナーヘッドは、それぞれシングルファスナーヘッド形態であることを特徴とする請求項１に記載の多層盗難防止ファスナー構造。
【請求項３】
前記第１層ファスナーヘッド及び前記第２層ファスナーヘッドは、それぞれダブルファスナーヘッド形態であることを特徴とする請求項１に記載の多層盗難防止ファスナー構造。
【請求項４】
前記第１層ファスナーヘッド及び前記第２層ファスナーヘッドのうち、いずれか一方がダブルファスナーヘッド形態であり、他方がシングルファスナーヘッド形態であることを特徴とする請求項１に記載の多層盗難防止ファスナー構造。
【請求項５】
第３層ファスナーヘッドと、前記第３層ファスナーヘッドが摺動可能に設けられる第３層ファスナーテープとを含む第３層ファスナーセットを更に含むことを特徴とする請求項１に記載の多層盗難防止ファスナー構造。
【請求項６】
前記第２層ファスナーセットと前記第３層ファスナーセットとが上下に配置されると共に位置をずらして設けられることを特徴とする請求項５に記載の多層盗難防止ファスナー構造。
【請求項７】
前記第３層ファスナーヘッドは、シングルファスナーヘッド形態であることを特徴とする請求項６に記載の多層盗難防止ファスナー構造。
【請求項８】
前記第３層ファスナーヘッドは、ダブルファスナーヘッド形態であることを特徴とする請求項６に記載の多層盗難防止ファスナー構造。
【考案の詳細な説明】
【技術分野】
【０００１】
本考案は、ファスナー構造に関し、特に多層盗難防止ファスナー構造に関する。
【背景技術】
【０００２】
リュックサック、ハンドバッグ、スーツケースといった、一般的によく見られる袋体は、使用者にとって、外出時に様々な物品を携帯することができることから、利便性を有している。しかしながら、使用者は、混雑した環境に居る場合に注意を怠ると、袋体に設けられたファスナーが悪意ある他人によってスライダーが摺動されることで開かれ、内部の貴重品が取り出されて損失を被ることがよくある。
【０００３】
従って、短時間の間に、または使用者が気づかない間に、悪意ある他人によってスライダーが摺動されてファスナーが開けられ、袋体の開口から内部の貴重品が取り出されることを、効果的に防止することができるように改良されたファスナー構造を如何にして提供するかが、業界において重要視されている。
【０００４】
そこで、鋭意研究を行い学理を併せて運用した結果、上述した欠点を合理的且つ効果的に改善する方法として本考案の完成を見るに至った。
【考案の概要】
【考案が解決しようとする課題】
【０００５】
本考案は、悪意ある他人によって容易に袋体の開口から内容物が取り出されることを防止するために、悪意ある他人が第１層ファスナーヘッド（スライダー）を引っ張って第１層ファスナーテープを開いた場合でも、袋体の開口が直ちに露出することのないようにすることができる、多層盗難防止ファスナー構造を提供することを課題とする。
【課題を解決するための手段】
【０００６】
本考案に係る多層盗難防止ファスナー構造は、袋体の開口周縁に設けられると共に、第１層ファスナーセット及び第２層ファスナーセットを含む。第１層ファスナーセットは、第１層ファスナーヘッド及び第１層ファスナーテープを含む。第１層ファスナーヘッドは、第１層ファスナーテープに摺動可能に設けられる。更に、第２層ファスナーセットは、第２層ファスナーヘッド及び第２層ファスナーテープを含む。第２層ファスナーヘッドは、第２層ファスナーテープに摺動可能に設けられる。第１層ファスナーセットと第２層ファスナーセットとは、上下に配置されると共に位置をずらして設けられる。
【考案の効果】
【０００７】
本考案に係る多層盗難防止ファスナー構造は、少なくとも２層以上のファスナーセットで構成される。これにより、悪意ある他人が第１層ファスナーヘッドを引っ張って第１層ファスナーテープを開いた場合でも、袋体の開口は直ちに露出することはなく、悪意ある他人によって容易に袋体の開口から内容物が取り出されることを効果的に防止することができる。更に、第１層ファスナーセットと第２層ファスナーセットとが上下に配置されると共に位置をずらして設けられる構成としたことにより、悪意ある他人は、第１層ファスナーヘッドを引っ張って第１層ファスナーテープを開いた後、更に位置をずらして設けられた第２層ファスナーヘッドを探し出して露出させなければならず、第２層ファスナーヘッドを引っ張って第２層ファスナーテープを開かなければ、袋体の開口を露出させることができない。従って、悪意ある他人が、短時間内または使用者が気づいていないうちに、同時に第１層ファスナーテープ及び第２層ファスナーテープを開くことは困難であるから、本考案は効果的に盗難防止の効果を向上させることが可能である。
【図面の簡単な説明】
【０００８】
【図１】本考案に係る多層盗難防止ファスナー構造を示す図（一）である。
【図２】本考案に係る多層盗難防止ファスナー構造を示す図（二）である。
【図３】本考案に係る多層盗難防止ファスナー構造を示す図（三）である。
【図４】本考案に係る多層盗難防止ファスナー構造を示す側面図（一）である。
【図５】本考案に係る多層盗難防止ファスナー構造を示す正面図（一）である。
【図６】本考案に係る多層盗難防止ファスナー構造を示す側面図（二）である。
【図７】本考案に係る多層盗難防止ファスナー構造を示す正面図（二）である。
【図８】本考案に係る多層盗難防止ファスナー構造が袋体に設けられた使用状態を示す図（一）である。
【図９】本考案に係る多層盗難防止ファスナー構造が袋体に設けられた使用状態を示す図（二）である。
【図１０】本考案に係る多層盗難防止ファスナー構造が袋体に設けられた使用状態を示す図（三）である。
【考案を実施するための形態】
【０００９】
図１は、本考案の１つの実施例を示す。本実施例は、多層盗難防止ファスナー構造であり、特に袋体の開口周縁に設けられた多層盗難防止ファスナー構造である。図１に示すように、多層盗難防止ファスナー構造は、基本的に第１層ファスナーセット１及び第２層ファスナーセット２を含む。
【００１０】
第１層ファスナーセット１は、第１層ファスナーヘッド１１及び第１層ファスナーテープ１２を含む。第１層ファスナーヘッド１１が第１層ファスナーテープ１２に摺動可能に設けられることにより、第１層ファスナーテープ１２を閉状態または開状態とすることができる。第２層ファスナーセット２は、第２層ファスナーヘッド２１及び第２層ファスナーテープ２２を含む。第２層ファスナーヘッド２１が第２層ファスナーテープ２２に摺動可能に設けられることにより、第２層ファスナーテープ２２を閉状態または開状態とすることができる。第１層ファスナーテープ１２と第２層ファスナーテープ２２とがいずれも開状態となった場合に限り、使用者が手を袋体の開口１００に差し入れて内容物を取ることができるように袋体の開口１００が露出される。換言すれば、第１層ファスナーヘッド１１を引っ張って第１層ファスナーテープ１２を開状態にしただけでは、袋体の開口１００は露出されない。また、第１層ファスナーセット１と第２層ファスナーセット２とが上下に配置されると共に位置をずらして設けられているため、第１層ファスナーヘッド１１を引っ張って第１層ファスナーテープ１２を開状態にした後、まず位置をずらして設けられた第２層ファスナーヘッド２１を探して露出させた上で、第２層ファスナーヘッド２１を引っ張って第２層ファスナーテープ２２を開状態にすることによって、初めて袋体の開口１００を露出させることができる。また、第１層ファスナーヘッド１１及び第２層ファスナーヘッド２１は、それぞれ引き手、スライダー胴体、ファスナー分離部、テープ溝を更に含み、第１層ファスナーテープ１２及び第２層ファスナーテープ２２は、それぞれ長尺状の２つの務歯列及び互いに噛み合わせることができる複数の務歯を更に含む。ファスナーヘッド（スライダー）の細部構造である引き手、スライダー胴体、ファスナー分離部、テープ溝、及びファスナーテープの細部構造である務歯列及び務歯は、当業者にとって公知であるため、ここでは詳しい説明を省略する。
【００１１】
本実施例において、第１層ファスナーヘッド１１及び第２層ファスナーヘッド２１は、それぞれシングルファスナーヘッド形態である。第１層ファスナーヘッド１１は、左に摺動して第１層ファスナーテープ１２を開状態とすることができる。一方、第２層ファスナーヘッド２１は、右に摺動して第２層ファスナーテープ２２を開状態とすることができる。即ち、第１層ファスナーヘッド１１と第２層ファスナーヘッド２１とは、相対的に逆方向に摺動することで、第１層ファスナーテープ１２と第２層ファスナーテープ２２とを前後して開状態とすることができる。但し、図示していない実施例において、第１層ファスナーヘッド１１と第２層ファスナーヘッド２１とは、同一方向に摺動することで、第１層ファスナーテープ１２と第２層ファスナーテープ２２とを前後して開状態とするようにしてもよい。
【００１２】
図２は、本考案の他の実施例を示す。本実施例に係る多層盗難防止ファスナー構造は、上述した実施例と略同一であり、主な相違点は、第１層ファスナーヘッド１１及び第２層ファスナーヘッド２１がそれぞれダブルファスナーヘッド形態であることにある。即ち、第１層ファスナーヘッド１１は、左ファスナーヘッド１１１及び右ファスナーヘッド１１２を含み、第２層ファスナーヘッド２１も、左ファスナーヘッド２１１及び右ファスナーヘッド２１２を含む。第１層ファスナーヘッド１１の左ファスナーヘッド１１１及び右ファスナーヘッド１１２は、互いに逆方向に摺動することで、第１層ファスナーテープ１２を開状態にすることができる。更に、第２層ファスナーテープ２２が閉状態である場合、第２層ファスナーヘッド２１の左ファスナーヘッド２１１及び右ファスナーヘッド２１２も、互いに逆方向に摺動することとで、第２層ファスナーテープ２２を開状態にすることができる。
【００１３】
図３は、本考案の他の実施例を示す。本実施例に係る多層盗難防止ファスナー構造は、上述した実施例と略同一であり、主な相違点は、第１層ファスナーヘッド１１がダブルファスナーヘッド形態であり、第２層ファスナーヘッド２１がシングルファスナーヘッド形態であることにある。即ち、第１層ファスナーヘッド１１は、左ファスナーヘッド１１１及び右ファスナーヘッド１１２を含み、第１層ファスナーヘッド１１の左ファスナーヘッド１１１及び右ファスナーヘッド１１２は、互いに逆方向に摺動することで、第１層ファスナーテープ１２を開状態とすることができる。更に、第２層ファスナーテープ２２が閉状態である場合、第２層ファスナーヘッド２１は、単一方向に摺動することでしか第２層ファスナーテープ２２を開状態とすることができない。但し、図示していない実施例において、第１層ファスナーヘッド１１は、シングルファスナーヘッド形態であってもよく、第２層ファスナーヘッド２１は、ダブルファスナーヘッド形態であってもよい。
【００１４】
図４及び図５は、本考案の他の実施例を示す。本実施例に係る多層盗難防止ファスナー構造は、上述した実施例と略同一であり、主な相違点は、本実施例に係る多層盗難防止ファスナー構造が、第３層ファスナーセット３を更に含むことである。また、第３層ファスナーセット３は、第３層ファスナーヘッド３１及び第３層ファスナーテープ３２を含み、第３層ファスナーヘッド３１は、第３層ファスナーテープ３２に摺動可能に設けられる。本実施例において、第３層ファスナーヘッド３１は、シングルファスナーヘッド形態である（図４参照）。また、第２層ファスナーセット２と第３層ファスナーセット３とは、上下に配置されると共に位置をずらして設けられる（図５参照）。つまり、第１層ファスナーセット１と第２層ファスナーセット２とが上下に配置されると共に位置をずらして設けられ、尚且つ第２層ファスナーセット２と第３層ファスナーセットとが３上下に配置されると共に位置をずらして設けられる。即ち、第１層ファスナーセット１、第２層ファスナーセット２及び第３層ファスナーセット３は、いずれも上下に配置されると共に位置をずらして設けられる。
【００１５】
図６及び図７は、本考案の他の実施例を示す。本実施例に係る多層盗難防止ファスナー構造は、第３層ファスナーセット３を含み、第３層ファスナーセット３は、第３層ファスナーヘッド３１及び第３層ファスナーテープ３２を含む。本実施例に係る多層盗難防止ファスナー構造は、上述した実施例と略同一であり、主な相違点は、第３層ファスナーヘッド３１がダブルファスナーヘッド形態であり、左ファスナーヘッド３１１及び右ファスナーヘッド３１２を含むことである（図６参照）。また、第２層ファスナーセット２と第３層ファスナーセット３とは、上下に配置されると共に位置をずらして設けられる。つまり、第１層ファスナーセット１と第２層ファスナーセット２とが上下に配置されると共に位置をずらして設けられ、尚且つ第２層ファスナーセット２と第３層ファスナーセット３とが上下に配置されると共に位置をずらして設けられるものの、第１層ファスナーセット１と第３層ファスナーセット３とは、上下に略揃うように設けられる（図７参照）。また、本実施例に係る多層盗難防止ファスナー構造は、第３層以上のファスナーセットを更に含んでもよい。従って、本考案を実際に適用する場合、ファスナーセットの層数はこれらに制限されない。
【００１６】
図８乃至図１０は、本考案の１つの実施例に係る多層盗難防止ファスナー構造をそれぞれ袋体の開口周縁に設けることで、袋体の開口が隠されるようにした使用状態を示す図である。図８に示すように、前述した袋体は、リュックサックの形態であってもよい。図９に示すように、前述した袋体は、ハンドバッグの形態であってもよい。図１０に示すように、前述した袋体は、スーツケースの形態であってもよい。但し、本考案が適用される袋体は、これらに制限されず、物品を収容するのに用いられることができる袋体であればよい。
【００１７】
このように、本考案の実施例に係る多層盗難防止ファスナー構造は、少なくとも２層以上のファスナーセットで構成される。これにより、悪意ある他人が第１層ファスナーヘッドを引っ張って第１層ファスナーテープを開いた場合でも、袋体の開口は露出することはなく、悪意ある他人によって容易に袋体の開口から内容物が取り出されることを効果的に防止することができる。更に、第１層ファスナーセットと第２層ファスナーセットとが上下に配置されると共に位置をずらして設けられる構成としたことにより、悪意ある他人は、第１層ファスナーヘッドを引っ張って第１層ファスナーテープを開いた後、更に位置をずらして設けられた第２層ファスナーヘッドを探し出して露出させなければならず、第２層ファスナーヘッドを引っ張って第２層ファスナーテープを開かなければ、袋体の開口を露出させることができない。従って、悪意ある他人が、短時間内または使用者が気づいていないうちに、同時に第１層ファスナーテープ及び第２層ファスナーテープを開くことは困難であるから、本考案は効果的に盗難防止の効果を向上させることが可能である。
【００１８】
上記は本考案の好ましい実施例に過ぎず、本考案の範囲を限定するものではない。従って、本考案の明細書及び図面の内容を運用した等価の技術的変更はすべて本考案の範囲に含まれる。
【符号の説明】
【００１９】
１００    袋体の開口
１    第１層ファスナーセット
１１    第１層ファスナーヘッド
１１１    左ファスナーヘッド
１１２    右ファスナーヘッド
１２    第１層ファスナーテープ
２    第２層ファスナーセット
２１    第２層ファスナーヘッド
２１１    左ファスナーヘッド
２１２    右ファスナーヘッド
２２    第２層ファスナーテープ
３    第３層ファスナーセット
３１    第３層ファスナーヘッド
３１１    左ファスナーヘッド
３１２    右ファスナーヘッド
３２    第３層ファスナーテープ
【図１】
0003194708.tif 000003
【図２】
0003194708.tif 000004
【図３】
0003194708.tif 000005
【図４】
0003194708.tif 000006
【図５】
0003194708.tif 000007
【図６】
0003194708.tif 000008
【図７】
0003194708.tif 000009
【図８】
0003194708.tif 000010
【図９】
0003194708.tif 000011
【図１０】
0003194708.tif 000012